(57)【要約】      （修正有）【課題】スライドガラスを染色液に浸す際にスライドガラスの長手方向を鉛直方向にも水平方向にも配置可能な染色バスケットを提供する。【解決手段】スライドガラスを平行に複数枚収納可能であり、スライドガラスを長手方向に沿って出し入れ可能な開口部６と、開口部に対向する面に設けられスライドガラスを支える底面部７と、開口部と底面部との間の面である側面部とを有し、スライドガラスを平行に複数枚収納可能な直方体状のバスケット本体１と、バスケット本体の側面部に設けられた側面把手１０と、を有し、開口部の各辺の長さは、側面部における開口部と底面部との間の長さよりも短く、側面把手は、バスケット本体及びスライドガラスの重心位置よりも開口部寄りに設けられている。【選択図】図１
2016035386.tif 000002
【特許請求の範囲】
【請求項１】
スライドガラスを平行に複数枚収納可能であり、前記スライドガラスを染色液に浸す際に前記スライドガラスの長手方向を鉛直方向にも水平方向にも配置可能な染色バスケットであって、
前記スライドガラスを長手方向に沿って出し入れ可能な開口部と、前記開口部に対向する面に設けられ前記スライドガラスを支える底面部と、前記開口部と前記底面部との間の面である側面部とを有し、前記スライドガラスを平行に複数枚収納可能な直方体状のバスケット本体と、
前記バスケット本体の側面部に設けられた側面把手と、を有し、
前記開口部の各辺の長さは、前記側面部における前記開口部と前記底面部との間の長さよりも短く、
前記側面把手は、前記バスケット本体及び前記スライドガラスの重心位置よりも前記開口部寄りに設けられている、
染色バスケット。
【請求項２】
前記側面把手は、前記スライドガラスの標本面に対して垂直な側面部に設けられている、
請求項1記載の染色バスケット。
【請求項３】
前記バスケット本体の側面部には、複数のバスケット本体を連結可能な連結部が設けられている、
請求項1又は2記載の染色バスケット。
【発明の詳細な説明】
【技術分野】
【０００１】
本発明は、スライドガラス上の標本などを染色する際に用いる染色バスケットに関する。
【背景技術】
【０００２】
病院などにおいて、生体から切除した切片をスライドガラス上に配置した標本スライドを染色液で染色処理を行う技術が知られている。染色処理を行う際に、一度に複数枚の標本スライドを染色する必要が有るため、標本スライドを複数枚収納可能な染色バスケットが用いられる。従来の染色バスケットの例は、特許文献1及び特許文献2に記載されている。
【０００３】
染色処理としては、HE染色、特殊染色、免疫染色、FISH染色などが知られている。現在の多くの標本スライドは、既存の20枚用染色カゴと染色瓶で染色されることが多く、小規模施設あるいは免疫染色など少数(2〜9枚)のオーダーでも同じカゴを用いざるを得なく、染色液も20枚用と同程度必要になってしまう。図5に従来型の染色バスケットの例を示す。上部の開口部6からスライドガラスが出し入れ可能であり、スライドガラスはスライドガラス収納枠4の間に1枚ずつ挿入される。
【０００４】
染色バスケットを用いずに少量溶液溝付き染色ビンを用いる方法もあるが、染色ビンに対して直にスライドを投入するため、溝に対して1枚ずつ把握して出し入れする必要がある。1枚ずつ出し入れするため、時間がずれて素早くできない、急ぐと溝に引っ掛かる、2枚重なる、などの問題がある。例えば、平均5枚以内を染めることが多い蛍光in situ ハイブリダイゼーション（FISH法）の、前処理のボイル（95度処理）や熱変性をするとき、あるいは免疫染色は賦活処理液(95℃/20分、40分)に浸漬するときに、このような問題が生じやすい。
【先行技術文献】
【特許文献】
【０００５】
【特許文献１】実公平3-36912号公報
【特許文献２】実開昭62-121540号公報
【発明の概要】
【発明が解決しようとする課題】
【０００６】
このように従来の染色バスケットは、多めのスライドガラスを収納する構造になっているとともに、染色液に浸す際にスライドガラスが鉛直方向になるようにしか配置できないため、少ないスライドガラスを染色する場合でも多くの染色液が必要になってしまう。
【０００７】
本発明はこのような問題を解決するためになされたものであり、スライドガラスを染色液に浸す際に前記スライドガラスの長手方向を鉛直方向にも水平方向にも配置可能な染色バスケットを提供することを目的とする。
【課題を解決するための手段】
【０００８】
上記課題を解決するため、本発明は以下の構成を有する。
スライドガラスを平行に複数枚収納可能であり、前記スライドガラスを染色液に浸す際に前記スライドガラスの長手方向を鉛直方向にも水平方向にも配置可能な染色バスケットであって、
前記スライドガラスを長手方向に沿って出し入れ可能な開口部と、前記開口部に対向する面に設けられ前記スライドガラスを支える底面部と、前記開口部と前記底面部との間の面である側面部とを有し、前記スライドガラスを平行に複数枚収納可能な直方体状のバスケット本体と、
前記バスケット本体の側面部に設けられた側面把手と、を有し、
前記開口部の各辺の長さは、前記側面部における前記開口部と前記底面部との間の長さよりも短く、
前記側面把手は、前記バスケット本体及び前記スライドガラスの重心位置よりも前記開口部寄りに設けられている、
染色バスケット。
【０００９】
前記スライドガラスは、一般的な顕微鏡観察などに用いられるもので、平面が横長で、標本面を有するガラス板である。
前記鉛直方向は重力方向であり、前記水平方向は重力方向に垂直な方向である。
前記バスケット本体は、スライドガラスを平行に複数枚収納可能であるが、厳密に平行である必要は無く、本発明の趣旨に合致する程度の平行であれば良い。
前記開口部の各辺の長さは、側面部における開口部と底面部との間の長さよりも短い。すなわち、バスケット本体を垂直配置した際に、高さ方向（スライドガラスの長手方向）の長さが、幅方向（スライドガラスの積層方向）及び奥行き方向（スライドガラスのスライド面の短辺方向）の長さよりも長く、縦長形状の略直方体になっている。
前記側面把手は、バスケット本体の4つの側面部のいずれに取り付けても構わず、どの側面部に取り付けるかは限定されない。
前記重心位置は、バスケット本体にスライドガラスを収納した状態での全体の重心位置である。なお、収納しているスライドガラスの枚数や配置によって重心位置が異なることがあるが、側面把手はいずれの重心位置よりも開口部寄りに配置される。
【００１０】
本発明は、バスケット本体の開口部の各辺の長さが側面部における開口部と底面部との間の長さよりも短いため、染色液に浸す際にスライドガラスの長手方向を鉛直方向にも水平方向にも配置可能である。また、側面把手がバスケット本体及びスライドガラスの重心位置よりも開口部寄りに設けられているため、水平配置状態からバスケット本体を側面把手でつまみ上げると、開口部が上方になるようにバスケット本体が傾斜する。したがって、開口部からスライドガラスが落下することを防止できる。
【００１１】
また、本発明は以下の好ましい実施態様を有する。
前記側面把手は、前記スライドガラスの標本面に対して垂直な側面部に設けられている。
【００１２】
バスケット本体には4つの側面部があり、そのうち2つはスライドガラス標本面に対して垂直であり、そのうち2つは平行である。側面把手をスライドガラス標本面に垂直な側面部に設けることで、バスケット本体を染色液から引き出す際にスライドガラス標本面が鉛直方向になるため、水切りが良くなる。また、側面把手をスライドガラスに平行な側面部に設けると、側面把手をピンセットで摘んだ際にピンセットで標本面を傷つけてしまう恐れがあるが、側面把手がスライドガラス標本面に垂直な側面部に設けられていればそのような心配は無い。
【００１３】
また、本発明は以下の好ましい実施態様を有する。
前記バスケット本体の側面部には、複数のバスケット本体を連結可能な連結部が設けられている。
【００１４】
本発明の染色バスケットは、横方向（スライドガラスの積層方向）を従来の染色バスケットよりも短く形成しあり、従来の半分程度の枚数のスライドガラスを収納する。したがって、より多くの枚数のスライドガラスを染色したい時は、バスケット本体を複数個連結して用いることで、従来の染色バスケットと同様に染色を行うことも可能である。
【発明の効果】
【００１５】
本発明の染色バスケットは上記構成を採用することにより、スライドガラスを染色液に浸す際に前記スライドガラスの長手方向を鉛直方向にも水平方向にも配置することが可能である。
【図面の簡単な説明】
【００１６】
【図１】本発明の実施形態の側面図。
【図２】本発明の実施形態の別の側面図。
【図３】本発明の実施形態の使用形態を表す図。
【図４】本発明の実施形態の使用形態を表す図。
【図５】従来技術の側面図。
【発明を実施するための形態】
【００１７】
以下、図面とともに本発明に係る染色バスケットの好適な実施形態の例について説明する。なお、図面は、説明を容易にするために強調して記載してあり、実際の寸法や外観とは異なることがある。
【００１８】
図1は、本実施形態の染色バスケットの側面図である。図2は、図1の右側面側から見た別の側面図である。図3は、図1の側面図に対して、スライドガラスを挿入した使用形態を表す図である。
【００１９】
バスケット本体1の基本フレームは、3つの水平フレーム2a,2b,2cと4つの垂直フレーム3とにより構成されている。水平フレーム2a,2b,2c間には、スライド収納枠4が複数本、それぞれ対向する側面部に設けられている。スライド収納枠4はワイヤ状で、バスケット本体1の内側に突出しており、図3のようにスライド収納枠4の間にスライドガラス5が収納される。バスケット本体1の上部が開口部6になっており、開口部6からスライドガラス5が出し入れ可能になっている。開口部6から挿入されたスライドガラス5はバスケット本体1の底面部7で止まるようになっている。本実施形態の染色バスケットでは、スライドガラス5を7枚収納できるようになっている。
【００２０】
バスケット本体1の材質は、高温(120℃程度)と染色液の腐食に耐えられるものならば何でも良いが、ステンレスが好適に用いられる。バスケット本体1の大きさは、一般的なスライドガラス(約25mm×約75mm)が収納でき、且つ、幅方向及び奥行き方向の長さが高さ方向より短ければ、特に限定はされない。例えば、幅方向及び奥行き方向が25mm-30mm程度、高さ方向が70mm程度の大きさが好ましい。
【００２１】
バスケット本体1の上部には、上部把手8が設けられている。この上部把手8は従来からあるもので、バスケット本体1を垂直に染色液に浸す際にバスケット本体1を摘まみ上げるものである。上部把手8は上部把手スライド部9に挿入されており、スライドガラス5を出し入れする際には邪魔にならない位置に移動できる。
【００２２】
バスケット本体1の側面部には、側面把手10が設けられている。側面把手10はコの字状のワイヤで形成されており、両側が垂直フレーム3に固定されている。側面把手10は、バスケット本体1の重心位置よりも上側に設けている。バスケット本体1を水平状態にして染色液に浸す際に、側面把手10をピンセットなどで摘んでバスケット本体1を持ち上げる。
【００２３】
必要に応じて、上部把手スライド部9の一方側に連結部材11が設けられる。連結部材11はフック状になっており、別のバスケット本体1の上部把手スライド部9に引っ掛けることが可能であり、このようにすることで複数のバスケット本体1を連結することができる。なお、連結部材11は無くても構わない。
【００２４】
バスケット本体1を連結しないで用いる時は、通常の半分のサイズであるため、従来の染色ビンに2つ同時に入れることが可能である。したがって、同一液に時間差で素早く各々浸漬可能(免疫染色の賦活液：95℃/20分、40分)になる。
【００２５】
次に図4を用いて、本実施形態の染色バスケットを染色液に水平方向に浸す場合の動作について説明する。
【００２６】
染色ビン21の中に染色液22が入れられており、これにバスケット本体1を水平に配置する。バスケット本体1を水平配置するにあたって、側面把手10をピンセット23で摘むことで染色液22に対して出し入れを行う。側面把手10は、バスケット本体1及びスライドガラス5の重心位置24よりも開口部6寄りにあるため、ピンセット23で側面把手10を摘むと、開口部6側が上に向くように傾く。したがって、開口部6からスライドガラス5が落下することを防止することができる。
【００２７】
以上、本発明の実施形態のいくつか例を説明したが、本発明はこれに限定されるものではなく、特許請求の範囲に記載された技術的思想の範疇において各種の変更が可能であることは言うまでもない。
【符号の説明】
【００２８】
1：バスケット本体、  2a,2b,2c：水平フレーム、  3：垂直フレーム、  4：スライドガラス収納枠、  5：スライドガラス、  6：開口部、  7：底面部、  8：上部把手、  9：上部把手スライド部、  10：側面把手、  11：連結部材、
21：染色ビン、  22：染色液、  23：ピンセット、  24：重心位置
【図１】
2016035386.tif 000003
【図２】
2016035386.tif 000004
【図３】
2016035386.tif 000005
【図４】
2016035386.tif 000006
【図５】
2016035386.tif 000007